(57)【特許請求の範囲】
【請求項１】
砂利、砂、セメント、水、混和剤等の各種材料を計量装置で計量し、計量した材料をミキサ内で混練して生コンクリ−トを製造する生コンクリート製造プラントにおいて、水計量槽の上位の貯水槽底部に水を多量に払い出す粗計量用水配管と、水を少量ずつ払い出す微計量用水配管とを配設すると共に、微計量用水配管の先端部に水をシャワー状に放出させる多数の小径の孔を穿設した散水ノズルを取付けたことを特徴とする生コンクリート製造プラント。
【発明の詳細な説明】
【０００１】
【発明の属する技術分野】
本発明は、砂利、砂、セメント、水、混和剤等の各種材料を混練して生コンクリートを製造する生コンクリート製造プラントに関する。
【０００２】
【従来の技術】
生コンクリート製造プラントにて生コンクリートを製造するときには、所望のコンクリートの配合に応じて砂利、砂、セメント、水、混和剤を計量しているが、水計量槽にて水計量中に少量の混和剤を水計量槽内に投入し、水と混和剤を混ぜ合せることが一般的に行われている。この水計量槽への水投入は、水計量槽上位の貯水槽から水を配管を通して重力落下により流し込んでおり、この落下衝撃により混和剤は激しくかき混ぜられている。
【０００３】
【発明が解決しようとする課題】
しかしながら、界面活性剤よりなる混和剤は泡立ち易い性質を有しており、従来のように、水計量槽内でかき混ぜられると泡立って槽内が泡だらけになり、ときには泡が槽外にあふれ出ることもあり、製品の品質に影響を及ぼすおそれもあり、また水計量槽周囲を汚すことにもなっていた。
【０００４】
本発明は上記の点に鑑み、水計量槽内での混和剤の泡立ちを極力抑えることができる生コンクリート製造プラントを提供することを課題とする。
【０００５】
【課題を解決するための手段】
本発明は上記の課題を解決するために、砂利、砂、セメント、水、混和剤等の各種材料を計量装置で計量し、計量した材料をミキサ内で混練して生コンクリ−トを製造する生コンクリート製造プラントにおいて、水計量槽の上位の貯水槽底部に水を多量に払い出す粗計量用水配管と、水を少量ずつ払い出す微計量用水配管とを配設すると共に、微計量用水配管の先端部に水をシャワー状に放出させる多数の小径の孔を穿設した散水ノズルを取付けたことを特徴としている。
【０００６】
【発明の実施の形態】
本発明に係る生コンクリート製造プラントにあっては、水計量槽によって水を計量するときに、貯水槽底部の粗計量用水配管及び微計量用水配管から水計量槽内に水を投入しながら計量し、この計量中に計量した混和剤を投入する。投入した混和剤は混和剤の性質から泡立とうとするが、微計量用水配管の散水ノズルから水がシャワー状に広範囲に投入されており、このシャワーによって泡は消されていき、槽内に泡が充満することはない。このように、泡立とうとする混和剤にシャワー状に水をかけることによって泡を消すことができ、水計量槽内に泡が充満することも外部に溢れる出ることも抑えることができ、製品の品質も確保され、また水計量槽周囲を汚すこともない。
【０００７】
【実施例】
以下、本発明に係る生コンクリート製造プラントの実施例を図面に基づいて説明する。
【０００８】
図中の１は生コンクリート製造プラントに備えられた水計量槽であって、該水計量槽１の上位には水を貯留する貯水槽２を配設している。貯水槽２の底部には貯水槽２より水を多量に払い出す管径の太い粗計量用水配管３を連結すると共に、水の払い出しを制御する制御弁４を介装して配管下端部を水計量槽１内に臨ませている。また、貯水槽２の底部には貯水槽２より混練水を少量ずつ払い出す管径の細い微計量用水配管５を連結すると共に、水の払い出しを制御する制御弁６を介装して配管下端部を水計量槽１内に臨ませている。
【０００９】
前記微計量用水配管５の下端部には払い出す水をシャワー状に広範囲に散水するためにジョウロの先端部のような小径の孔を多数穿設した散水ノズル７を取り付けており、該散水ノズル７によって水計量槽１内の広範囲域にわたって散水できるようにしている。この微計量用水配管５は水計量槽１内の泡消し効果が効率良く発揮できる適宜位置に配置され、また散水ノズル７の大きさや孔径も適宜決定する。
【００１０】
また、水計量槽１の上位には混和剤を計量する混和剤計量槽８を備えており、該混和剤計量槽８には各種混和剤を貯留タンク（図示せず）より払い出す混和剤計量用配管９、１０を制御弁１１、１２を介装して配備している。また、混和剤計量槽８の底部には計量した混和剤を下位の水計量槽１に投入する混和剤投入用配管１３を連結し、該混和剤投入用配管１３には混和剤の払い出しを制御する制御弁１４を介装すると共にその下端部を前記水計量槽１内に臨ませている。
【００１１】
水計量槽１には、計量した水を下位のミキサ（図示せず）に投入する水投入用配管１５を連結し、該水投入用配管１５には水の投入を制御する制御弁１６を介装している。また、水計量槽１には貯水槽２より払い出された水の量を検出する重量検出器１７を、混和剤計量槽８には貯留タンクより払い出される混和剤の重量を検出する重量検出器１８を備えている。
【００１２】
次に、上記装置によって水と混和剤を計量する手順の一例を図２のサイクルタイム図参照しながら説明する。
【００１３】
生コンクリート製造プラントの操作盤に材料配合値が設定されて出荷操作が開始されると、各種材料の計量と同時に水の計量も開始される。先ず、貯水槽２底部に連結した粗計量用水配管３及び微計量用水配管５の制御弁４、６が開放され、粗計量用水配管３からは多量の水が放出され、また微計量用水配管５からは少量ずつの水が散水ノズル７を介してシャワー状に水計量槽１内に投入される。
【００１４】
この水計量中に混和剤計量用配管９、１０のいずれかの制御弁が選択されて所望の混和剤が混和剤計量槽８内に投入されて計量されるが、この混和剤量は少量であるために水の計量中に計量が完了する。計量された混和剤は制御弁１４の開放によって混和剤投入用配管１３を介して水計量中の水計量槽１内に投入される。
【００１５】
混和剤が水計量槽１内に投入されると、未だ粗計量用水配管３から水が勢いよく投入されているために、界面活性剤よりなる泡立ち易い性質の混和剤はかき混ぜられて泡立とうとするが、散水ノズル７から水がシャワー状に広範囲に投入されているために泡が消されて水計量槽１内に充満するに至らない。
【００１６】
そして水量が予め設定した粗計量値に達すると制御弁４を閉塞して粗計量用水配管３からの水投入を停止し、微計量用水配管５からの少量ずつの水投入としながら所定計量値に達すると制御弁６を閉塞して計量を完了する。
【００１７】
このように、微計量用水配管５の散水ノズル７からシャワー状に散水して混和剤の泡立ちを防ぐことによって水計量槽内に泡が充満することも外部に溢れる出ることも抑えることができる。
【００１８】
【発明の効果】
以上のように本発明に係る生コンクリート製造プラントにあっては、水計量槽の上位の貯水槽底部に水を多量に払い出す粗計量用水配管と、水を少量ずつ払い出す微計量用水配管とを配設すると共に、微計量用水配管の先端部に水をシャワー状に放出させる多数の小径の孔を穿設した散水ノズルを取付けたので、水計量槽内での混和剤の泡立ちをシャワー状の散水によって防ぐことができ、水計量槽内に泡が充満することも外部に溢れる出ることも抑えることができ、製品の品質も確保され、また水計量槽周囲を汚すこともない。
【図面の簡単な説明】
【図１】本発明に係る生コンクリート製造プラントの一実施例を示す水計量槽付近の概略構成図である。
【図２】水及び混和剤の計量についてのサイクルタイム図である。
【符号の説明】
１…水計量槽                          ２…貯水槽
３…粗計量用水配管                    ４…制御弁
５…微計量用水配管                    ６…制御弁
７…散水ノズル                        ８…混和剤計量槽
１３…混和剤投入用配管
【図１】
0004172875.tif 000002
【図２】
0004172875.tif 000003